(57)【要約】【課題】より適切に現金処理装置が記番号を認識して上位装置に記番号を通知することが可能な技術を提供する。【解決手段】入金種別が通常入金である場合、認識部によって複数の紙幣から認識された記番号を記憶部に記憶させ、記憶部に記憶させた記番号が通信部によって上位装置に送信されるよう通信部を制御し、入金種別が連続入金である場合、認識部によって複数の紙幣から１枚ずつ紙幣の記番号が認識されるたびに記番号が通信部によって上位装置に送信されるよう通信部を制御する記番号制御部と、を備える、現金処理システムが提供される。【選択図】図１
2018205790.tif 000002
【特許請求の範囲】
【請求項１】
紙幣を処理する現金処理装置と前記現金処理装置の外部に設けられた上位装置とを有する、現金処理システムであって、
前記現金処理装置は、
複数の紙幣が投入される入金口と、
前記入金口に投入された前記複数の紙幣を搬送する搬送部と、
前記搬送部によって搬送される前記複数の紙幣それぞれの記番号を認識する認識部と、
前記複数の紙幣それぞれの記番号を記憶する記憶部と、
前記複数の紙幣それぞれの記番号を前記上位装置に送信する通信部と、
入金種別が通常入金である場合、前記認識部によって前記複数の紙幣から認識された前記記番号を前記記憶部に記憶させ、前記記憶部に記憶させた前記記番号が前記通信部によって前記上位装置に送信されるよう前記通信部を制御し、
前記入金種別が連続入金である場合、前記認識部によって前記複数の紙幣から１枚ずつ紙幣の記番号が認識されるたびに前記記番号が前記通信部によって前記上位装置に送信されるよう前記通信部を制御する記番号制御部と、
を備える、現金処理システム。
【請求項２】
前記現金処理システムは、前記入金種別を取得する入金種別取得部を備える、
請求項１に記載の現金処理システム。
【請求項３】
前記入金種別取得部は、前記現金処理装置を構成するハードウェアに関する情報を取得し、前記ハードウェアに関する情報に対応する前記入金種別を取得する、
請求項２に記載の現金処理システム。
【請求項４】
前記入金種別取得部は、オペレータによって入力された前記入金種別を取得する、
請求項２に記載の現金処理システム。
【請求項５】
前記上位装置は、前記入金種別取得部を備える、
請求項２に記載の現金処理システム。
【請求項６】
前記現金処理装置は、前記入金種別取得部を備える、
請求項２に記載の現金処理システム。
【請求項７】
前記記番号制御部は、
前記現金処理装置による紙幣の出金枚数が閾値以下である場合、前記認識部によって前記複数の紙幣から認識された前記記番号を前記記憶部に記憶させ、前記記憶部に記憶させた前記記番号が前記通信部によって前記上位装置に送信されるよう前記通信部を制御し、
前記現金処理装置による紙幣の出金枚数が前記閾値を超える場合、前記認識部によって前記複数の紙幣から１枚ずつ紙幣の記番号が認識されるたびに前記記番号が前記通信部によって前記上位装置に送信されるよう前記通信部を制御する、
請求項１に記載の現金処理システム。
【請求項８】
複数の紙幣が投入される入金口と、
前記入金口に投入された前記複数の紙幣を搬送する搬送部と、
前記搬送部によって搬送される前記複数の紙幣それぞれの記番号を認識する認識部と、
前記複数の紙幣それぞれの記番号を記憶する記憶部と、
前記複数の紙幣それぞれの記番号を上位装置に送信する通信部と、
入金種別が通常入金である場合、前記認識部によって前記複数の紙幣から認識された前記記番号を前記記憶部に記憶させ、前記記憶部に記憶させた前記記番号が前記通信部によって前記上位装置に送信されるよう前記通信部を制御し、
前記入金種別が連続入金である場合、前記認識部によって前記複数の紙幣から１枚ずつ紙幣の記番号が認識されるたびに前記記番号が前記通信部によって前記上位装置に送信されるよう前記通信部を制御する記番号制御部と、
を備える、現金処理装置。
【請求項９】
入金口に投入された複数の紙幣を搬送することと、
搬送される前記複数の紙幣それぞれの記番号を認識することと、
前記複数の紙幣それぞれの記番号を記憶することと、
前記複数の紙幣それぞれの記番号を上位装置に送信することと、を含み、
入金種別が通常入金である場合、前記複数の紙幣から認識された前記記番号を記憶させ、記憶させた前記記番号が上位装置に送信されるよう制御し、
前記入金種別が連続入金である場合、前記複数の紙幣から１枚ずつ紙幣の記番号が認識されるたびに前記記番号が前記上位装置に送信されるよう制御すること、
を含む、現金処理方法。
【発明の詳細な説明】
【技術分野】
【０００１】
本発明は、現金処理システム、現金処理装置および現金処理方法に関する。
【背景技術】
【０００２】
一般に、銀行などの金融機関には、紙幣を取り扱う現金処理装置が設置される。現金処理装置の例としては、ＡＴＭ（Ａｕｔｏｍａｔｉｃ  ｔｅｌｌｅｒ  ｍａｃｈｉｎｅ）、窓口用現金入出金機（ＴＣＲ：Ｔｅｌｌｅｒ  Ｃａｓｈ  Ｒｅｃｙｃｌｅｒ）、出納用現金入出金機、紙幣整理機などが挙げられる。これらの現金処理装置は、ローカルネットワークに接続されている。また、当該ローカルネットワークには、これらの現金処理装置の上位装置に相当する、ＡＴＭ制御部、テラー端末、出納用端末、紙幣整理機用端末などが接続される。
【０００３】
紙幣には紙幣の種類ごとに通し番号（以下、「記番号」と言う。）が印刷されており、現金処理装置は、紙幣に印刷された記番号を認識する機能を有している。現金処理装置によって認識された記番号は、上位装置に蓄積されるのが一般的である。ここで、現金処理装置によって認識された記番号を管理する技術としては、様々な技術が開示されている。
【０００４】
例えば、特許文献１には、現金処理装置によって認識された記番号が、現金処理装置と外部ネットワークとの間に設けられる情報処理装置によって集中管理される技術が開示されている。また、特許文献２には、現金処理装置によって認識された記番号が現金処理装置の記憶部によって記憶される技術が開示されている。特許文献３には、現金処理装置の例としてのテラー端末に関する技術が開示されている。
【先行技術文献】
【特許文献】
【０００５】
【特許文献１】特開２０１３−２５７７８６号公報
【特許文献２】特開２０１３−１１４５２７号公報
【特許文献３】特開２０１７−０４１１０７号公報
【発明の概要】
【発明が解決しようとする課題】
【０００６】
現金処理装置が記番号を認識して上位装置に記番号を通知する方式としては、主に２つの方式が存在する。１つ目の方式として、入金口に投入された複数の紙幣から１枚ずつ紙幣の記番号が認識されるたびに記番号を記憶部に記憶させ、複数の紙幣それぞれの記番号すべてが認識された場合に、記憶部に記憶させた複数の紙幣それぞれの記番号を上位装置に送信する方式（以下、「一括通知方式」とも言う。）が存在する。二つ目の方式として、複数の紙幣から１枚ずつ紙幣の記番号が認識されるたびに記番号を上位装置に送信する方式（以下、「逐一通知方式」とも言う。）が存在する。
【０００７】
一括通知方式および逐一通知方式それぞれには長所および短所がある。一括通知方式を用いた場合には、複数の紙幣それぞれの記番号を一括で上位装置に通知するため、複数の紙幣それぞれの記番号を上位装置に通知するために要する時間が短くて済む。しかし、一括通知方式を用いた場合には、複数の紙幣それぞれの記番号を記憶部に記憶させる必要があるため、一度に大量の紙幣を処理しようとすると、記憶部の空き容量が不足してしまう可能性がある。
【０００８】
一方、逐一通知方式を用いた場合には、複数の紙幣それぞれの記番号を記憶部に記憶させずに済むため、記憶部の空き容量が不足してしまう可能性が低減される。しかし、逐一通知方式を用いた場合には、複数の紙幣それぞれの記番号を認識する度に、逐一上位装置に通知する必要があるため、複数の紙幣それぞれの記番号を上位装置に通知するために要する時間が多くなってしまう。
【０００９】
そこで、本発明は、上記問題に鑑みてなされたものであり、本発明の目的とするところは、より適切に現金処理装置が記番号を認識して上位装置に記番号を通知することが可能な技術を提供することにある。
【課題を解決するための手段】
【００１０】
上記問題を解決するために、本発明のある観点によれば、紙幣を処理する現金処理装置と前記現金処理装置の外部に設けられた上位装置とを有する、現金処理システムであって、前記現金処理装置は、複数の紙幣が投入される入金口と、前記入金口に投入された前記複数の紙幣を搬送する搬送部と、前記搬送部によって搬送される前記複数の紙幣それぞれの記番号を認識する認識部と、前記複数の紙幣それぞれの記番号を記憶する記憶部と、前記複数の紙幣それぞれの記番号を前記上位装置に送信する通信部と、入金種別が通常入金である場合、前記認識部によって前記複数の紙幣から認識された前記記番号を前記記憶部に記憶させ、前記記憶部に記憶させた前記記番号が前記通信部によって前記上位装置に送信されるよう前記通信部を制御し、前記入金種別が連続入金である場合、前記認識部によって前記複数の紙幣から１枚ずつ紙幣の記番号が認識されるたびに前記記番号が前記通信部によって前記上位装置に送信されるよう前記通信部を制御する記番号制御部と、を備える、現金処理システムが提供される。
【００１１】
前記現金処理システムは、前記入金種別を取得する入金種別取得部を備えてもよい。
【００１２】
前記入金種別取得部は、前記現金処理装置を構成するハードウェアに関する情報を取得し、前記ハードウェアに関する情報に対応する前記入金種別を取得してもよい。
【００１３】
前記入金種別取得部は、オペレータによって入力された前記入金種別を取得してもよい。
【００１４】
前記上位装置は、前記入金種別取得部を備えてもよい。
【００１５】
前記現金処理装置は、前記入金種別取得部を備えてもよい。
【００１６】
前記記番号制御部は、前記現金処理装置による紙幣の出金枚数が閾値以下である場合、前記認識部によって前記複数の紙幣から認識された前記記番号を前記記憶部に記憶させ、前記記憶部に記憶させた前記記番号が前記通信部によって前記上位装置に送信されるよう前記通信部を制御し、前記現金処理装置による紙幣の出金枚数が前記閾値を超える場合、前記認識部によって前記複数の紙幣から１枚ずつ紙幣の記番号が認識されるたびに前記記番号が前記通信部によって前記上位装置に送信されるよう前記通信部を制御してもよい。
【００１７】
また、本発明のある観点によれば、複数の紙幣が投入される入金口と、前記入金口に投入された前記複数の紙幣を搬送する搬送部と、前記搬送部によって搬送される前記複数の紙幣それぞれの記番号を認識する認識部と、前記複数の紙幣それぞれの記番号を記憶する記憶部と、前記複数の紙幣それぞれの記番号を上位装置に送信する通信部と、入金種別が通常入金である場合、前記認識部によって前記複数の紙幣から認識された前記記番号を前記記憶部に記憶させ、前記記憶部に記憶させた前記記番号が前記通信部によって前記上位装置に送信されるよう前記通信部を制御し、前記入金種別が連続入金である場合、前記認識部によって前記複数の紙幣から１枚ずつ紙幣の記番号が認識されるたびに前記記番号が前記通信部によって前記上位装置に送信されるよう前記通信部を制御する記番号制御部と、を備える、現金処理装置が提供される。
【００１８】
また、本発明のある観点によれば、入金口に投入された複数の紙幣を搬送することと、搬送される前記複数の紙幣それぞれの記番号を認識することと、前記複数の紙幣それぞれの記番号を記憶することと、前記複数の紙幣それぞれの記番号を上位装置に送信することと、を含み、入金種別が通常入金である場合、前記複数の紙幣から認識された前記記番号を記憶させ、記憶させた前記記番号が上位装置に送信されるよう制御し、前記入金種別が連続入金である場合、前記複数の紙幣から１枚ずつ紙幣の記番号が認識されるたびに前記記番号が前記上位装置に送信されるよう制御すること、を含む、現金処理方法が提供される。
【発明の効果】
【００１９】
以上説明したように本発明によれば、より適切に現金処理装置が記番号を認識して上位装置に記番号を通知することが可能である。
【図面の簡単な説明】
【００２０】
【図１】本発明の実施形態に係る現金処理システムの構成を示す図である。
【図２】同実施形態に係る現金処理装置の機能構成例を示す図である。
【図３】同実施形態に係る上位装置の機能構成例を示す図である。
【図４】同実施形態に係る現金処理装置の内部構成例を示す図である。
【図５】入金口、第１出金口および第２出金口それぞれの外観例を示す図である。
【図６】入金処理における記番号制御の動作例を示すフローチャートである。
【図７】出金処理における記番号制御の動作例を示すフローチャートである。
【発明を実施するための形態】
【００２１】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２２】
また、本明細書および図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、同一符号のみを付する。
【００２３】
（１．現金処理システムの構成）
まず、本発明の実施形態に係る現金処理システム１０の構成について説明する。図１は、本発明の実施形態に係る現金処理システム１０の構成を示す図である。図１に示すように、本発明の実施形態に係る現金処理システム１０は、紙幣を処理する現金処理装置２００、現金処理装置２００の外部に設けられた、上位装置３００、ＡＴＭ監視装置４００および勘定系システム６００を備えている。
【００２４】
上記したように、現金処理装置２００および上位装置３００は、ローカルネットワーク内に存在する（すなわち、現金処理装置２００および上位装置３００は、ローカルネットワークに接続されている）。ローカルネットワークは、例えば、ＬＡＮ（Ｌｏｃａｌ  Ａｒｅａ  Ｎｅｔｗｏｒｋ）により構築される。基幹ネットワーク５００は、ローカルネットワークの外部に存在する外部ネットワークであり、例えば、ＷＡＮ（Ｗｉｄｅ  Ａｒｅａ  Ｎｅｔｗｏｒｋ）により構築される。基幹ネットワーク５００には、勘定系システム６００が接続されている。
【００２５】
現金処理装置２００は、銀行などの金融機関に設置されている。現金処理装置２００の例としては、ＡＴＭ２００Ａ、窓口用現金入出金機２００Ｂ、出納用現金入出金機２００Ｃおよび紙幣整理機２００Ｄなどが挙げられる。また、上位装置３００の例としては、ＡＴＭ制御部３００Ａ、テラー端末３００Ｂ、出納用端末３００Ｃおよび紙幣整理機用端末３００Ｄなどが挙げられる。
【００２６】
ＡＴＭ２００Ａは、顧客が紙幣の入金や出金を行うための端末であり、紙幣を格納するカセットを装備し運用されている。また、ＡＴＭ２００Ａは、その内部にＡＴＭ制御部３００Ａを有しており、ＡＴＭ監視装置４００に接続されている。図１に示した例では、ＡＴＭ監視装置４００には１台のＡＴＭ２００Ａが接続されているが、複数台のＡＴＭ２００Ａが接続されていてもよい。ＡＴＭ２００Ａは、例えば、金融機関の店舗に設置されている。ＡＴＭ監視装置４００は、基幹ネットワーク５００を介して勘定系システム６００に接続されているのが一般的である。
【００２７】
窓口用現金入出金機２００Ｂは、行員によるテラー端末３００Ｂへの操作に基づいて、顧客から受け取った紙幣を入金したり、顧客の要請に従って紙幣を出金したりする端末である。窓口用現金入出金機２００Ｂは、例えば、金融機関の窓口カウンタに設置されている。窓口用現金入出金機２００Ｂも、ＡＴＭ２００Ａと同様に、紙幣を格納するカセットを装備し運用されている。テラー端末３００Ｂは、基幹ネットワーク５００を介して勘定系システム６００に接続されているのが一般的である。
【００２８】
出納用現金入出金機２００Ｃは、行員による出納用端末３００Ｃへの操作に基づいて、ＡＴＭ２００Ａや窓口用現金入出金機２００Ｂから回収したお金を計数して現金の有高を計算する機能を有している。出納用現金入出金機２００Ｃは、例えば、銀行の窓口カウンタの奥やバックヤードに設置されている。出納用現金入出金機２００Ｃも、ＡＴＭ２００Ａと同様に、紙幣を格納するカセットを装備し運用されている。出納用端末３００Ｃは、基幹ネットワーク５００を介して勘定系システム６００に接続されているのが一般的である。
【００２９】
紙幣整理機２００Ｄは、行員による紙幣整理機用端末３００Ｄへの操作に基づいて、ＡＴＭ２００Ａや窓口用現金入出金機２００Ｂから回収したお金を計数して現金の選別をし、さらに所定枚数毎（例えば、１００枚毎）に帯封する機能を有している。紙幣整理機２００Ｄは、所定枚数毎に帯封した束紙幣に帯番号を印字して出力する。紙幣整理機２００Ｄは、印字した帯番号を日付時分秒単位で記憶することが可能である。紙幣整理機２００Ｄは、例えば、銀行の窓口カウンタの奥やバックヤードに設置されている。紙幣整理機２００Ｄは、紙幣を保管するカセットを有していない。紙幣整理機用端末３００Ｄは、勘定系システム６００に接続されているのが一般的である。
【００３０】
紙幣には紙幣の種類ごとに通し番号（記番号）が印刷されており、現金処理装置２００は、紙幣に印刷された記番号を認識する機能を有している。現金処理装置２００によって認識された記番号は、上位装置３００に蓄積される。より具体的には、ＡＴＭ２００Ａにより認識された記番号は、ＡＴＭ制御部３００Ａに蓄積され得る。同様に、窓口用現金入出金機２００Ｂにより認識された記番号は、テラー端末３００Ｂに蓄積され、出納用現金入出金機２００Ｃにより認識された記番号は、出納用端末３００Ｃに蓄積され、紙幣整理機２００Ｄにより認識された記番号は、紙幣整理機用端末３００Ｄに蓄積され得る。
【００３１】
なお、現金処理装置２００の台数は特に限定されない。また、図１に示した例では、現金処理装置２００の例として、ＡＴＭ２００Ａ、窓口用現金入出金機２００Ｂ、出納用現金入出金機２００Ｃ、紙幣整理機２００Ｄが示されているが、現金処理装置２００の種類も特に限定されない。以下の説明においては、現金処理装置２００が窓口用現金入出金機２００Ｂである場合を主に想定するが、現金処理装置２００は、ＡＴＭ２００Ａであってもよいし、出納用現金入出金機２００Ｃであってもよいし、紙幣整理機２００Ｄであってもよい。
【００３２】
以上、本発明の実施形態に係る現金処理システム１０の構成について説明した。
【００３３】
（２．現金処理装置の機能構成例）
続いて、本発明の実施形態に係る現金処理装置２００の機能構成例について説明する。図２は、本発明の実施形態に係る現金処理装置２００の機能構成例を示す図である。図２に示すように、本発明の実施形態に係る現金処理装置２００は、通信部２１０、制御部２２０および記憶部２３０を備える。
【００３４】
通信部２１０は、通信インタフェースにより構成されており、制御部２２０による制御に従って他の装置と通信を行う機能を有する。例えば、通信部２１０は、他の装置の例としての上位装置３００と通信を行う。本明細書においては、通信部２１０が有線による通信を行う場合を主に想定するが、通信部２１０は、無線による通信を行ってもよい。
【００３５】
制御部２２０は、プロセッサにより構成されており、現金処理装置２００の動作全体を制御する機能を有する。例えば、制御部２２０は、ＣＰＵ（Ｃｅｎｔｒａｌ  Ｐｒｏｃｅｓｓｉｎｇ  Ｕｎｉｔ）により構成されており、記憶部２３０により記憶されているプログラムがＣＰＵによりＲＡＭ（Ｒａｎｄｏｍ  Ａｃｃｅｓｓ  Ｍｅｍｏｒｙ）に展開されて実行されることにより、その機能が実現され得る。このとき、当該プログラムを記録した、コンピュータに読み取り可能な記録媒体も提供され得る。
【００３６】
あるいは、制御部２２０は、専用のハードウェアにより構成されていてもよいし、複数のハードウェアの組み合わせにより構成されてもよい。制御部２２０は、記番号制御部２２１を備える。制御部２２０が備える記番号制御部２２１の機能の詳細については後に説明する。
【００３７】
記憶部２３０は、メモリによって構成されており、制御部２２０を動作させるためのプログラムやデータを記憶する機能を有する。また、記憶部２３０は、制御部２２０の動作の過程で必要となる各種データを一時的に記憶する機能を有する。例えば、記憶部２３０は、不揮発性の記憶装置によって構成される。
【００３８】
以上、本発明の実施形態に係る現金処理装置２００の機能構成例について説明した。
【００３９】
（３．上位装置の機能構成例）
続いて、本発明の実施形態に係る上位装置３００の機能構成例について説明する。図３は、本発明の実施形態に係る上位装置３００の機能構成例を示す図である。図３に示すように、本発明の実施形態に係る上位装置３００は、通信部３１０、制御部３２０、記憶部３３０、操作部３４０および表示部３５０を備える。
【００４０】
通信部３１０は、通信インタフェースにより構成されており、制御部３２０による制御に従って他の装置と通信を行う機能を有する。例えば、通信部３１０は、他の装置の例としての現金処理装置２００と通信を行う。本明細書においては、通信部３１０が有線による通信を行う場合を主に想定するが、通信部３１０は、無線による通信を行ってもよい。
【００４１】
制御部３２０は、プロセッサにより構成されており、上位装置３００の動作全体を制御する機能を有する。例えば、制御部３２０は、ＣＰＵにより構成されており、記憶部３３０により記憶されているプログラムがＣＰＵによりＲＡＭに展開されて実行されることにより、その機能が実現され得る。このとき、当該プログラムを記録した、コンピュータに読み取り可能な記録媒体も提供され得る。
【００４２】
あるいは、制御部３２０は、専用のハードウェアにより構成されていてもよいし、複数のハードウェアの組み合わせにより構成されてもよい。制御部３２０は、入金種別取得部３２１を備える。制御部３２０が備える入金種別取得部３２１の機能の詳細については後に説明する。
【００４３】
記憶部３３０は、メモリによって構成されており、制御部３２０を動作させるためのプログラムやデータを記憶する機能を有する。また、記憶部３３０は、制御部３２０の動作の過程で必要となる各種データを一時的に記憶する機能を有する。例えば、記憶部３３０は、不揮発性の記憶装置によって構成される。
【００４４】
操作部３４０は、行員から入力される操作を受け付ける。また、操作部３４０は、行員から受け付けた操作を制御部３２０に提供する。本明細書においては、操作部３４０がマウスおよびキーボードである場合を主に想定するが、操作部３４０はマウスおよびキーボード以外の入力装置であってもよい。例えば、操作部３４０は、タッチパネルであってもよいし、ボタンであってもよい。
【００４５】
表示部３５０は、制御部３２０による制御に従って情報表示を行う機能を有する。ここで、表示部３５０の形態は特に限定されない。例えば、表示部３５０は、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置、ランプなどの表示装置であってよい。
【００４６】
以上、本発明の実施形態に係る上位装置３００の機能構成例について説明した。
【００４７】
（４．現金処理装置の内部構成例）
続いて、本発明の実施形態に係る現金処理装置２００の内部構成例について説明する。図４は、本発明の実施形態に係る現金処理装置２００の内部構成例を示す図である。図４に示すように、現金処理装置２００は、入金口１２と、第１出金口１４と、第２出金口１５と、認識部２０と、一時保留部２２と、搬送部２４と、紙幣カセット３０Ａ〜３０Ｄと、リジェクト庫付き紙幣カセット３５と、表示部４０とを有する。
【００４８】
入金口１２は、行員によって紙幣が投入される投入口である。入金口１２は、投入された複数の紙幣を一枚ずつ分離して繰り出す分離機能を有する。また、第１出金口１４および第２出金口１５は、行員が受け取る紙幣が排出（出金）される排出口である。第１出金口１４および第２出金口１５は、排出する紙幣を集積する集積機能を有する。
【００４９】
図５を参照しながら、入金口１２、第１出金口１４および第２出金口１５それぞれの構成の詳細について説明する。図５は、入金口１２、第１出金口１４および第２出金口１５それぞれの外観例を示す図である。
【００５０】
図５に示すように、入金口１２には、入金口１２を開閉する入金シャッタ１６が設けられている。図５には、入金シャッタ１６が開いた状態が示されている。図５に示した例では、入金シャッタ１６は、回動することによって入金口１２を開閉することが可能である。しかし、入金シャッタ１６は、スライドすることによって入金口１２を開閉することが可能であってもよい。ここでは、入金シャッタ１６が制御部２２０によって入金処理時に自動的に開閉される場合を主に想定するが、入金シャッタ１６は、手動によって開閉可能であってもよい。
【００５１】
入金口１２の奥側壁には、ガイド溝１２３が設けられており、紙幣押さえプレート１２１がガイド溝１２３に沿って移動可能に構成されている。紙幣押さえプレート１２１は、紙幣載置板１２２に置かれた紙幣を自重によって上から押さえ付けることによって、紙幣載置板１２２に置かれた紙幣を安定させることが可能である。ここでは、紙幣押さえプレート１２１が制御部２２０によって紙幣投入時に自動的に開閉される場合を主に想定するが、紙幣押さえプレート１２１は、手動によって移動可能であってもよい。また、紙幣押さえプレート１２１は、入金シャッタ１６の開閉に連動して移動可能であってもよい。
【００５２】
なお、入金口１２のサイズには限りがあるため、紙幣載置板１２２に一度に載置可能な紙幣の枚数には限界がある。そのため、入金口１２には、所定枚数（以下、「投入可能上限枚数」）までの紙幣しか一度に投入することができない。ここで、投入可能上限枚数は限定されないが、例えば、２００枚であってもよい。
【００５３】
図５に示すように、第１出金口１４には、第１出金口１４を開閉する第１出金シャッタ１４１が設けられている。図５には、第１出金シャッタ１４１が開いた状態が示されている。図５に示した例では、第１出金シャッタ１４１は、回動することによって第１出金口１４を開閉することが可能である。しかし、第１出金シャッタ１４１は、スライドすることによって第１出金口１４を開閉することが可能であってもよい。ここでは、第１出金シャッタ１４１が制御部２２０によって出金処理時に自動的に開閉される場合を主に想定するが、第１出金シャッタ１４１は、手動によって開閉可能であってもよい。第１出金口１４から出金された紙幣は、紙幣集積板１４２に集積される。
【００５４】
また、図５に示すように、第２出金口１５には、第２出金口１５を開閉する第２出金シャッタ１５１が設けられている。図５には、第２出金シャッタ１５１が開いた状態が示されている。図５に示した例では、第２出金シャッタ１５１は、回動することによって第２出金口１５を開閉することが可能である。しかし、第２出金シャッタ１５１は、スライドすることによって第２出金口１５を開閉することが可能であってもよい。ここでは、第２出金シャッタ１５１が制御部２２０によって出金処理時に自動的に開閉される場合を主に想定するが、第２出金シャッタ１５１は、手動によって開閉可能であってもよい。第２出金口１５から出金された紙幣は、紙幣集積板１５２に集積される。
【００５５】
なお、図５に示した例では、現金処理装置２００に第１出金口１４と第２出金口１５とが設けられている（すなわち、現金処理装置２００に２つの出金口が設けられている）。しかし、現金処理装置２００に設けられる出金口の数は２つに限定されない。すなわち、現金処理装置２００に設けられる出金口は、１つであってもよいし、３つ以上であってもよい。
【００５６】
表示部４０は、メニュー画面や処理結果画面を表示する。ここで、表示部４０の形態は特に限定されない。例えば、表示部４０は、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置、ランプなどの表示装置であってよい。
【００５７】
認識部２０は、１枚ずつ通過していく紙幣の鑑別を行う。紙幣の進行方向は双方向に対応しており、認識部２０は、入金口１２側の方向から搬送される紙幣、およびその逆方向から搬送される紙幣の鑑別を行うことができる。具体的には、認識部２０は、搬送路を通って搬送された紙幣の金種、真偽（真券／偽券）、正損（正券／損券）および走行状態（正常／異常）などを鑑別し、通過する紙幣に対して、正常判定またはリジェクト判定を行う。また、認識部２０は、搬送路を通って搬送された紙幣の記番号を認識することができる。
【００５８】
ここで、本明細書において真券とは紙幣と鑑別されたものをいい、偽券とは紙幣と鑑別されなかったものをいう。また、正券とは真券と鑑別された紙幣のうち入金／出金に適すると鑑別されたものをいい、損券とは真券と鑑別された紙幣のうち入金／出金に適さないと鑑別されたものをいう。また、リジェクト判定は、偽券、損券（汚損、損壊、外形異常等）、走行異常（スキュー紙幣、重走等）といった要因に基づいて行われる。また、リジェクト紙幣には、出金紙幣として取り扱えない紙幣（例えば二千円札や五千円札）を含んでもよいし、外国紙幣を含んでもよい。
【００５９】
一時保留部２２は、紙幣の分離と集積の両方の機能を有する。例えば、一時保留部２２は、入金取引時に入金口１２から分離されて認識部２０により正常と鑑別された紙幣を一時的に集積する。一時保留部２２に集積された紙幣は、入金した紙幣の口座計上などが確定したなど、取引が成立した場合に繰り出され、認識部２０を経て紙幣カセット３０Ａ〜３０Ｄなどに搬送される。なお、一時保留部２２は、紙幣を順次重ねて集積する集積式であってもよいし、紙幣を順次巻いて収納するドラム式であってもよい。
【００６０】
搬送部２４は、搬送路、紙幣を搬送する搬送ローラ、および搬送ローラを駆動する駆動機構を含み、紙幣を一枚ずつ搬送する。駆動機構は、例えばＤＣサーボモータまたはパルスモータなどが回転することにより、搬送ローラを駆動する。搬送部２４は、制御部２２０により制御され、紙幣を目的の搬送先（例えば、第１出金口１４または第２出金口１５）に搬送する。
【００６１】
紙幣カセット３０Ａ〜３０Ｄは、紙幣を金種毎に収納可能な紙幣収納部であって、紙幣の集積および分離の両方の機能を有する。また、紙幣カセット３０Ａ〜３０Ｄは、同一金種のための複数の紙幣カセットを含んでもよい。例えば、紙幣カセット３０Ａおよび３０Ｃが一万円札用の紙幣カセットであり、紙幣カセット３０Ｂおよび３０Ｄが千円札用の紙幣カセットであってもよい。また、紙幣カセット３０Ａ〜３０Ｄは、現金処理装置２００に対して着脱可能な構造になっており、個別に交換することで紙幣カセット３０Ａ〜３０Ｄに紙幣を装填することも可能である。
【００６２】
リジェクト庫付き紙幣カセット３５（以下、紙幣カセット３５とも称す）は、現金処理装置２００に対して着脱可能な構造になっており、個別に交換することで、紙幣の回収および補充が可能である。また、紙幣カセット３５は、上側に紙幣収納庫３６、下側（底部）にリジェクト庫３７を備える。
【００６３】
紙幣収納庫３６は、紙幣を集積する集積機能および１枚ずつ繰り出す分離機能を有する。また、紙幣収納庫３６は、カセット計数回収時に各紙幣カセット３０Ａ〜３０Ｄから分離された紙幣を集積し、紙幣を回収することができる。また、紙幣収納庫３６は、カセット計数補充時に、紙幣収納庫３６内に集積している紙幣を繰り出し、紙幣カセット３０Ａ〜３０Ｄに紙幣を補充することができる。
【００６４】
リジェクト庫３７は、紙幣を集積する集積機能のみ有する。リジェクト庫３７は、認識部２０によって異常と鑑別（リジェクト判定）された紙幣（リジェクト紙幣）を集積するための紙幣収納部である。
【００６５】
また、現金処理装置２００は、行員が操作可能な操作部（不図示）を有する。現金処理装置２００は、行員が操作部を操作することにより、入金や出金の取引に対応する入金処理や出金処理等を行う。なお、現金処理装置２００は、操作部の代わりに、現金処理装置２００に接続された上位装置３００における行員の操作に基づいて、処理を行ってもよい。
【００６６】
（５．現金処理装置による各種の処理）
現金処理装置２００は、例えば、入金処理、出金処理、補充処理、および、回収処理を行う。以下では、図４を参照しながら処理毎に説明する。
【００６７】
（入金処理）
入金処理は、入金口１２に投入された紙幣を現金処理装置２００の内部に集積する処理である。ここで、上記したように、入金口１２のサイズには限りがあるため、紙幣載置板１２２に一度に載置可能な紙幣の枚数には限界がある。そのため、入金口１２には、投入可能上限枚数（例えば、２００枚など）までの紙幣しか一度に投入することができない。以下では、投入可能上限枚数までの紙幣しか一度に入金できない入金処理を「通常入金処理」と言う。
【００６８】
一方、入金口１２に投入された紙幣が現金処理装置２００の内部に取り込まれることによって入金口１２に空きスペースが生じ、取り込まれた紙幣の計数が行われている間に空きスペースに追加的に紙幣を投入することも可能である。これによって、投入可能上限枚数を超える枚数（例えば、１００００枚など）の紙幣を一度に入金することも可能である。このように、投入可能上限枚数を超える枚数の紙幣を一度に入金可能な入金処理を「連続入金処理」と言う。
【００６９】
現金処理装置２００は、入金処理として、例えば、通常入金処理および連続入金処理のうち少なくともいずれか一方を行うことが可能である。通常入金処理においては、現金処理装置２００は、入金紙幣を一時保留部２２へ退避させた後に一時保留部２２から紙幣カセット３０Ａ〜３０Ｄに集積する。一方、連続入金処理においては、現金処理装置２００は、入金紙幣を一時保留部２２へ退避させないで直接紙幣カセット３０Ａ〜３０Ｄに集積する。
【００７０】
まず、通常入金処理について説明する。通常入金処理においては、まず、入金口１２に投入された紙幣が一枚ずつ分離して繰り出され、繰り出された紙幣は、搬送部２４により認識部２０に搬送される。次に、認識部２０が紙幣の鑑別を行い、鑑別結果が正常であった紙幣は、一時保留部２２へ搬送されて集積される。その後、入金金額が確定すると、集積処理に移行する。
【００７１】
一方で、認識部２０による鑑別結果が異常であった紙幣（リジェクト紙幣）は、第１出金口１４または第２出金口１５に集積される。第１出金口１４または第２出金口１５に集積された紙幣は、行員により入金口１２に再投入されることで、認識部２０による再鑑別が可能である。
【００７２】
集積処理においては、まず、一時保留部２２から紙幣が１枚ずつ分離され、分離された紙幣が認識部２０に搬送される。次に、認識部２０による鑑別結果が正常であった紙幣は、金種に対応する紙幣カセット３０Ａ〜３０Ｄに集積される。一方で、汚損券、折れ紙幣、スキュー紙幣などの走行異常紙幣のように、認識部２０による鑑別結果が異常であった紙幣は、紙幣カセット３５のリジェクト庫３７に集積される。
【００７３】
一方で、入金金額の確定前に入金紙幣の返却（キャンセル）が指示されると、返却処理に移行する。返却処理においては、まず、一時保留部２２から紙幣が１枚ずつ分離され、分離された紙幣が認識部２０に搬送される。そして、認識部２０による鑑別結果が正常／異常いずれであっても、全ての紙幣を第１出金口１４、または第２出金口１５へ集積する。
【００７４】
次に、連続入金処理について説明する。入金口１２に投入された紙幣は、通常入金処理と同様に、認識部２０により鑑別される。そして、鑑別結果が正常であった紙幣は、金種に対応する紙幣カセット３０Ａ〜３０Ｄに集積される。一方で、鑑別結果が異常であった紙幣（リジェクト紙幣）は、第１出金口１４または第２出金口１５に集積される。第１出金口１４または第２出金口１５に集積された紙幣は、行員により入金口１２に再投入されることで、認識部２０による再鑑別が可能である。
【００７５】
（出金処理）
出金処理は、紙幣カセット３０Ａ〜３０Ｄの紙幣を第１出金口１４または第２出金口１５に集積する処理である。
【００７６】
出金処理においては、まず、指定された金額に応じて紙幣カセット３０Ａ〜３０Ｄから紙幣が１枚ずつ分離して繰り出され、繰り出された紙幣は、搬送部２４により認識部２０に搬送される。次に、認識部２０が紙幣の鑑別を行い、鑑別結果が正常であった紙幣は、第１出金口１４または第２出金口１５に集積される。具体的には、例えば出金する正常紙幣の金種や枚数に応じて、第１出金口１４または第２出金口１５に選択的に集積（集金）される。一方で、鑑別結果が異常であった紙幣、すなわち、顧客に支払いできない紙幣は、紙幣カセット３５のリジェクト庫３７に集積される。
【００７７】
（補充処理）
補充処理は、現金処理装置２００に紙幣を補充する処理である。現金処理装置２００においては、具体的な補充方法として、入金口補充、カセット交換補充、およびカセット計数補充が可能である。以下、各補充方法について説明する。
【００７８】
入金口補充は、上述した入金処理における動作と同様である。例えば、入金口１２から繰り出され、認識部２０による鑑別結果が正常であった紙幣は、一時保留部２２に退避された後、金種に対応する紙幣カセット３０Ａ〜３０Ｄに集積される。一方で、鑑別結果が異常であった紙幣は、第１出金口１４又は第２出金口１５に集積される。
【００７９】
カセット交換補充は、紙幣カセット３０Ａ〜３０Ｄが着脱可能であることを利用するものであり、予め紙幣を装填した紙幣カセットを、既に装着された紙幣カセット３０Ａ〜３０Ｄのいずれかと交換することで、紙幣を補充する。なお、カセット交換補充では、補充した紙幣の金種と枚数をオペレータがマニュアルで登録する必要がある。
【００８０】
カセット計数補充においては、まず、紙幣カセット３５の紙幣収納庫３６に予め紙幣を装填し、現金処理装置２００にセットする。次に、紙幣収納庫３６から繰り出され、認識部２０による鑑別結果が正常であった紙幣は、金種に対応する紙幣カセット３０Ａ〜３０Ｄに集積される。一方で、鑑別結果が異常であった紙幣は、リジェクト庫３７に集積される。なお、カセット計数補充では、認識部２０により計数処理が実行されるので、補充した紙幣の金種および枚数をオペレータがマニュアルで登録する必要はない。
【００８１】
（回収処理）
回収処理は、現金処理装置２００内の紙幣を回収する処理である。現金処理装置２００においては、具体的な回収方法として、出金口回収、カセット交換回収、およびカセット計数回収が可能である。以下、各回収方法について説明する。
【００８２】
出金口回収は、上述した出金処理における動作と同様である。例えば、回収対象の紙幣カセット３０Ａ〜３０Ｄから繰り出され、認識部２０による鑑別結果が正常であった紙幣は、第１出金口１４又は第２出金口１５に集積される。一方で、鑑別結果が異常であった紙幣は、リジェクト庫３７に集積される。そして、回収対象の紙幣カセット３０Ａ〜３０Ｄに集積された全紙幣に対して行い、行員は、第１出金口１４又は第２出金口１５から、正常判定された紙幣を回収することができる。また、行員は、リジェクト庫３７から異常判定された紙幣を回収することができる。
【００８３】
カセット交換回収は、紙幣カセット３０Ａ〜３０Ｄのうちの所定の紙幣カセットを現金処理装置１０から取り外すことで、紙幣の回収を行う。なお、カセット交換回収では、オペレータが、取り外した紙幣カセット３０Ａ〜３０Ｄから紙幣を抜き取り、回収した紙幣の金種と枚数をマニュアルで数える必要がある。
【００８４】
カセット計数回収においては、紙幣カセット３０Ａ〜３０Ｄのうち回収対象の紙幣カセットから繰り出され、認識部２０による鑑別結果が正常であった紙幣は、紙幣カセット３５の紙幣収納庫３６に集積される。一方で、鑑別結果が異常であった紙幣は、リジェクト庫３７に集積される。その後、行員が紙幣カセット３５のみを現金処理装置２００から取り外すことで、正常判定された紙幣および異常判定された紙幣を回収することができる。また、カセット計数回収では、認識部２０により計数処理が実行されるので、回収した紙幣の金種および枚数をオペレータがマニュアルで数える必要はない。
【００８５】
以上、現金処理装置２００による各種の処理（入金処理、出金処理、補充処理、および、回収処理）について説明した。
【００８６】
（６．記番号の制御）
上記したように、現金処理装置２００による各種の処理（入金処理、出金処理、補充処理、および、回収処理）の実行中には、認識部２０によって紙幣の鑑別がなされる。このとき、認識部２０によって紙幣の記番号が認識され、認識部２０によって認識された記番号は、通信部２１０によって上位装置３００に通知される。上記したように、複数の紙幣の記番号を上位装置３００に送信する方式としては、一括通知方式および逐一通知方式が存在する。以下、入金処理および出金処理それぞれにおける記番号の制御例について説明する。
【００８７】
（入金処理における記番号制御）
まず、入金処理における記番号の制御例を説明する。現金処理装置２００によって実行される入金処理の種別（以下、単に「入金種別」とも言う。）が通常入金である場合、入金口１２に紙幣が追加投入されないため、入金枚数がさほど多くならないと考えられる。そこで、入金種別が通常入金である場合には、入金口１２に投入された複数の紙幣それぞれの記番号を記憶部２３０に記憶させたとしても記憶部２３０の空き容量が不足してしまう可能性がさほど高くないため、一括通知方式によって複数の紙幣の記番号が上位装置３００に送信されるのが好適であると考えられる。
【００８８】
そこで、現金処理装置２００において、記番号制御部２２１は、入金種別が通常入金である場合、一括通知方式によって複数の紙幣の記番号が上位装置３００に送信されるように制御する。
【００８９】
より具体的には、記番号制御部２２１は、入金種別が通常入金である場合、認識部２０によって複数の紙幣から１枚ずつ紙幣の記番号が認識されるたびに記番号を記憶部２３０に記憶させる。そして、入金口１２に投入された複数の紙幣それぞれの記番号すべてが認識された場合に、記憶部２３０に記憶させた複数の紙幣それぞれの記番号が通信部２１０によって上位装置３００に送信されるよう通信部２１０を制御する。
【００９０】
一方、入金種別が連続入金である場合、入金口１２に紙幣が追加投入されるため、入金枚数が多くなると考えられる。そこで、入金種別が連続入金である場合には、入金口１２に投入された複数の紙幣それぞれの記番号を記憶部２３０に記憶させた場合に記憶部２３０の空き容量が不足してしまう可能性があるため、逐一通知方式によって複数の紙幣の記番号が上位装置３００に送信されるのが好適であると考えられる。
【００９１】
そこで、現金処理装置２００において、記番号制御部２２１は、入金種別が連続入金である場合、逐一通知方式によって複数の紙幣の記番号が上位装置３００に送信されるように制御する。
【００９２】
より具体的には、記番号制御部２２１は、入金種別が連続入金である場合、認識部２０によって複数の紙幣から１枚ずつ紙幣の記番号が認識されるたびに記番号が通信部２１０によって上位装置３００に送信されるよう通信部２１０を制御する。
【００９３】
入金種別は、上位装置３００における入金種別取得部３２１によって取得され、上位装置３００から現金処理装置２００に送信される。ここで、入金種別はどのようにして入金種別取得部３２１によって取得されてもよい。一例として、現金処理装置２００を構成するハードウェアの種類ごとに入金種別が決まる場合、入金種別取得部３２１が、現金処理装置２００を構成するハードウェアに関する情報を取得し、現金処理装置２００を構成するハードウェアに関する情報に対応する入金種別を取得する。
【００９４】
より具体的には、記憶部３３０には、現金処理装置２００を構成するハードウェアに関する情報と入金種別とがあらかじめ対応付けられて記憶されており、上位装置３００が現金処理装置２００から現金処理装置２００を構成するハードウェアに関する情報を受信すると、入金種別取得部３２１は、現金処理装置２００を構成するハードウェアに関する情報に対応付けられた入金種別を記憶部３３０から取得する。
【００９５】
なお、ここでは、現金処理装置２００を構成するハードウェアに関する情報が、現金処理装置２００における制御部２２０を構成するプロセッサのバージョン情報である場合を主に想定する。しかし、現金処理装置２００を構成するハードウェアに関する情報は、制御部２２０を構成するプロセッサのバージョン情報に限定されない。
【００９６】
上位装置３００においては、表示部３５０によって入金結果が表示される。入金結果には、入金された紙幣の枚数と入金された紙幣の記番号とが含まれる。なお、ここでは、上位装置３００における表示部３５０によって入金結果が表示される場合を主に想定するが、表示部３５０に追加して、あるいは、表示部３５０の代わりに、現金処理装置２００における表示部４０によって入金結果が表示されてもよい。
【００９７】
入金処理における記番号制御の動作例について、図６を参照しながらさらに説明を続ける。図６は、入金処理における記番号制御の動作例を示すフローチャートである。上記のように、上位装置３００における入金種別取得部３２１によって入金種別が取得され、上位装置３００から現金処理装置２００に送信される。現金処理装置２００においては、入金種別が通常入金である場合（Ｓ１１において「Ｎｏ」）、Ｓ１４に動作が移行される。
【００９８】
入金種別が連続入金である場合（Ｓ１１において「Ｙｅｓ」）、現金処理装置２００が逐一通知方式に対応不可能であれば（Ｓ１２において「Ｎｏ」）、Ｓ１４に動作が移行される。
【００９９】
一方、現金処理装置２００が逐一通知方式に対応可能であれば（Ｓ１２において「Ｙｅｓ」）、制御部２２０は、上位装置３００と認識部２０との間の回線を接続して（Ｓ１３）、連続入金処理を開始する（Ｓ１８）。かかる連続入金処理においては、認識部２０が１枚ずつ紙幣から記番号を認識すると、記番号制御部２２１は、その記番号を記憶部２３０に記憶させずに、通信部２１０を介して記番号を上位装置３００に通知する。制御部２２０によって上位装置３００と認識部２０との間の回線が切断されると（Ｓ１９）、Ｓ２０に動作が移行される。
【０１００】
Ｓ１４に動作が移行された場合、制御部２２０は、通常入金処理を開始する（Ｓ１４）。かかる通常入金処理においては、認識部２０が１枚ずつ紙幣から記番号を認識すると、記番号制御部２２１は、その記番号を記憶部２３０に保存する。入金口１２に投入された複数の紙幣の記番号すべてが保存されると、制御部２２０は、上位装置３００と認識部２０との間の回線を接続し（Ｓ１５）、記番号制御部２２１は、記憶部２３０に保存された複数の記番号を一括で、通信部２１０を介して上位装置３００に通知する（Ｓ１６）。制御部２２０によって上位装置３００と認識部２０との間の回線が切断されると（Ｓ１７）、Ｓ２０に動作が移行される。
【０１０１】
Ｓ２０に動作が移行された場合、上位装置３００においては、表示部３５０によって入金結果が表示される（Ｓ２０）。上記したように、入金結果には、入金された紙幣の枚数と入金された紙幣の記番号とが含まれる。
【０１０２】
以上、入金処理における記番号の制御例について説明した。
【０１０３】
（出金処理における記番号制御）
続いて、出金処理における記番号の制御例を説明する。現金処理装置２００によって出金される紙幣の枚数（以下、単に「出金枚数」とも言う。）が閾値以下である場合、出金される複数の紙幣それぞれの記番号を記憶部２３０に記憶させたとしても記憶部２３０の空き容量が不足してしまう可能性がさほど高くないため、一括通知方式によって複数の紙幣の記番号が上位装置３００に送信されるのが好適であると考えられる。
【０１０４】
そこで、現金処理装置２００において、記番号制御部２２１は、出金枚数が閾値以下である場合、一括通知方式によって複数の紙幣の記番号が上位装置３００に送信されるように制御する。
【０１０５】
より具体的には、記番号制御部２２１は、出金枚数が閾値以下である場合、認識部２０によって複数の紙幣から１枚ずつ紙幣の記番号が認識されるたびに記番号を記憶部２３０に記憶させ、複数の紙幣それぞれの記番号すべてが認識された場合に、記憶部２３０に記憶させた複数の紙幣それぞれの記番号が通信部２１０によって上位装置３００に送信されるよう通信部２１０を制御する。
【０１０６】
一方、出金枚数が閾値を超える場合、出金される複数の紙幣それぞれの記番号を記憶部２３０に記憶させた場合に記憶部２３０の空き容量が不足してしまう可能性があるため、逐一通知方式によって複数の紙幣の記番号が上位装置３００に送信されるのが好適であると考えられる。
【０１０７】
そこで、現金処理装置２００において、記番号制御部２２１は、出金枚数が閾値を超える場合、逐一通知方式によって複数の紙幣の記番号が上位装置３００に送信されるように制御する。
【０１０８】
より具体的には、記番号制御部２２１は、出金枚数が閾値を超える場合、認識部２０によって複数の紙幣から１枚ずつ紙幣の記番号が認識されるたびに記番号が通信部２１０によって上位装置３００に送信されるよう通信部２１０を制御する。
【０１０９】
なお、ここでは、出金枚数は、行員（オペレータ）によって入力され、上位装置３００における操作部３４０によって受け付けられる場合を想定する。そして、操作部３４０によって受け付けられた出金枚数は、上位装置３００における通信部３１０によって現金処理装置２００に送信される場合を想定する。しかし、行員（オペレータ）によって入力された出金枚数は、現金処理装置２００における操作部（不図示）によって受け付けられてもよい。
【０１１０】
出金処理における記番号制御の動作例について、図７を参照しながらさらに説明を続ける。図７は、出金処理における記番号制御の動作例を示すフローチャートである。上記のように、上位装置３００における操作部３４０によって出金枚数が受け付けられ、上位装置３００から現金処理装置２００に送信される。現金処理装置２００においては、出金枚数が閾値以下である場合（Ｓ３１において「Ｎｏ」）、Ｓ３４に動作が移行される。
【０１１１】
出金枚数が閾値を超える場合（Ｓ３１において「Ｙｅｓ」）、現金処理装置２００が逐一通知方式に対応不可能であれば（Ｓ３２において「Ｎｏ」）、Ｓ３４に動作が移行される。
【０１１２】
一方、現金処理装置２００が逐一通知方式に対応可能であれば（Ｓ３２において「Ｙｅｓ」）、制御部２２０は、上位装置３００と認識部２０との間の回線を接続して（Ｓ３３）、出金処理を開始する（Ｓ３８）。かかる出金処理においては、認識部２０が１枚ずつ紙幣から記番号を認識すると、記番号制御部２２１は、その記番号を記憶部２３０に記憶させずに、通信部２１０を介して記番号を上位装置３００に通知する。制御部２２０によって上位装置３００と認識部２０との間の回線が切断されると（Ｓ３９）、Ｓ４０に動作が移行される。
【０１１３】
Ｓ３４に動作が移行された場合、制御部２２０は、出金処理を開始する（Ｓ３４）。かかる出金処理においては、認識部２０が１枚ずつ紙幣から記番号を認識すると、記番号制御部２２１は、その記番号を記憶部２３０に保存する。出金される複数の紙幣の記番号すべてが保存されると、制御部２２０は、上位装置３００と認識部２０との間の回線を接続し（Ｓ３５）、記番号制御部２２１は、記憶部２３０に保存された複数の記番号を一括で、通信部２１０を介して上位装置３００に通知する（Ｓ３６）。制御部２２０によって上位装置３００と認識部２０との間の回線が切断されると（Ｓ３７）、Ｓ４０に動作が移行される。
【０１１４】
Ｓ４０に動作が移行された場合、上位装置３００においては、表示部３５０によって出金結果が表示される（Ｓ４０）。上記したように、出金結果には、出金された紙幣の枚数と出金された紙幣の記番号とが含まれる。
【０１１５】
以上、入金処理および出金処理それぞれにおける記番号の制御例について説明した。
【０１１６】
（７．効果の説明）
以上に説明したように、本発明の実施形態によれば、入金種別が通常入金である場合、認識部２０によって複数の紙幣から１枚ずつ紙幣の記番号が認識されるたびに記番号を記憶部２３０に記憶させ、複数の紙幣それぞれの記番号すべてが認識された場合に、記憶部２３０に記憶させた複数の紙幣それぞれの記番号が通信部２１０によって上位装置３００に送信されるよう通信部２１０を制御する、現金処理装置２００が提供される。かかる構成によれば、より適切に現金処理装置２００が入金処理において記番号を認識して上位装置３００に記番号を通知することが可能となる。
【０１１７】
また、記番号制御部２２１は、入金種別が連続入金である場合、認識部２０によって複数の紙幣から１枚ずつ紙幣の記番号が認識されるたびに記番号が通信部２１０によって上位装置３００に送信されるよう通信部２１０を制御する。かかる構成によれば、より適切に現金処理装置２００が入金処理において記番号を認識して上位装置３００に記番号を通知することが可能となる。
【０１１８】
また、記番号制御部２２１は、現金処理装置２００による紙幣の出金枚数が閾値以下である場合、認識部２０によって複数の紙幣から１枚ずつ紙幣の記番号が認識されるたびに記番号を記憶部２３０に記憶させ、複数の紙幣それぞれの記番号すべてが認識された場合に、記憶部２３０に記憶させた複数の紙幣それぞれの記番号が通信部２１０によって上位装置３００に送信されるよう通信部２１０を制御する。かかる構成によれば、より適切に現金処理装置２００が出金処理において記番号を認識して上位装置３００に記番号を通知することが可能となる。
【０１１９】
また、記番号制御部２２１は、現金処理装置２００による紙幣の出金枚数が閾値を超える場合、認識部２０によって複数の紙幣から１枚ずつ紙幣の記番号が認識されるたびに記番号が通信部２１０によって上位装置３００に送信されるよう通信部２１０を制御する。かかる構成によれば、より適切に現金処理装置２００が出金処理において記番号を認識して上位装置３００に記番号を通知することが可能となる。
【０１２０】
（８．変形例の説明）
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１２１】
例えば、上記においては、上位装置３００における入金種別取得部３２１が、現金処理装置２００を構成するハードウェアに関する情報を取得し、現金処理装置２００を構成するハードウェアに関する情報に対応する入金種別を取得する例を説明した。しかし、入金種別は他の手法によって入金種別取得部３２１によって取得されてもよい。例えば、入金種別取得部３２１は、行員（オペレータ）によって操作部３４０を介して入力された入金種別を取得してもよい。
【０１２２】
また、上記においては、上位装置３００が入金種別取得部３２１を備える例を説明した。しかし、入金種別取得部３２１は、上位装置３００の代わりに現金処理装置２００が備えてもよい。例えば、かかる場合、入金種別取得部３２１は、現金処理装置２００を構成するハードウェアに関する情報を取得し、現金処理装置２００を構成するハードウェアに関する情報に対応する入金種別を取得してもよい。あるいは、入金種別取得部３２１は、行員（オペレータ）によって現金処理装置２００における操作部（不図示）を介して入力された入金種別を取得してもよい。
【０１２３】
また、上記においては、入金処理および出金処理それぞれにおける記番号の制御について説明した。しかし、かかる記番号の制御は、他の処理にも適用可能である。例えば、かかる記番号の制御は、補充処理および回収処理にも適用可能である。例えば、補充処理においても入金処理と同様に入金種別と同等の補充種別が得られる場合、入金処理と同様に入金種別に応じて記番号が制御されてもよい。また、回収処理においても出金処理と同様に出金枚数と同等の回収枚数が得られる場合、出金処理と同様に出金枚数に応じて記番号が制御されてもよい。
【０１２４】
また、第１出金口１４および第２出金口１５に出金された紙幣が、顧客によって取り出されない場合もある。かかる場合には、顧客によって取り出されなかった紙幣が、紙幣取り込み用のカセットに取り込まれる。このように、顧客によって取り出されなかった紙幣が紙幣取り込み用のカセットに取り込まれる場合にも、本発明の実施形態に係る記番号の制御が適用され得る。
【０１２５】
尚、本明細書において、フローチャートに記述されたステップは、記載された順序に沿って時系列的に行われる処理はもちろん、必ずしも時系列的に処理されなくとも、並列的に又は個別的に実行される処理をも含む。また時系列的に処理されるステップでも、場合によっては適宜順序を変更することが可能であることは言うまでもない。
【符号の説明】
【０１２６】
１０    現金処理システム
１２    入金口
１４    第１出金口
１５    第２出金口
２０    認識部
２２    一時保留部
２４    搬送部
４０    表示部
２００  現金処理装置
２００Ａ  ＡＴＭ
２００Ｂ  窓口用現金入出金機
２００Ｃ  出納用現金入出金機
２００Ｄ  紙幣整理機
２１０  通信部
２２０  制御部
２２１  記番号制御部
２３０  記憶部
３００  上位装置
３００Ａ  ＡＴＭ制御部
３００Ｂ  テラー端末
３００Ｃ  出納用端末
３００Ｄ  紙幣整理機用端末
３１０  通信部
３２０  制御部
３２１  入金種別取得部
３３０  記憶部
３４０  操作部
３５０  表示部
４００  ＡＴＭ監視装置
５００  基幹ネットワーク
６００  勘定系システム
【図１】
2018205790.tif 000003
【図２】
2018205790.tif 000004
【図３】
2018205790.tif 000005
【図４】
2018205790.tif 000006
【図５】
2018205790.tif 000007
【図６】
2018205790.tif 000008
【図７】
2018205790.tif 000009